(57)【要約】【課題】携帯電話、ギター、各種バッグ、各種ファスナー、商品又は衣服に取付けた物品を随時、容易に交換することができる物品取付け用具を提供する。【解決手段】物品を保持するための、柔軟性を有する天然ゴム、合成ゴム又は合成樹脂からなる保持部材、及び物品を保持した保持部材を物体に取付けるための付設部材から構成され、物品を容易に、随時交換可能な物品取付け用具。【選択図】        図２
2004243074.tif 000002
【特許請求の範囲】
【請求項１】
物品を保持するための、柔軟性を有する天然ゴム、合成ゴム又は合成樹脂からなる保持部材、及び物品を保持した保持部材を物体に取付けるための付設部材から構成され、物品を容易に、随時交換可能な物品取付け用具。
【請求項２】
保持部材が、物品の周囲のみを被覆する枠状である請求項１に記載の物品取付け用具。
【請求項３】
物品が、ファッション・アクセサリー、ギターの演奏に使用するピック、フォトフレーム・アクセサリー、香料を含浸させた芳香アクセサリー又はコインである請求項１又は請求項２に記載の物品取付け用具。
【請求項４】
物品取付け用具が、携帯電話、ギター、各種バッグ、各種ファスナー、商品又は衣服に取付けられる請求項１乃至請求項３に記載の物品取付け用具。
【発明の詳細な説明】
【０００１】
【発明の属する技術分野】
本発明は、物品取付け用具に関する。更に詳しくは、本発明は、物品を保持するための、柔軟性を有する天然ゴム、合成ゴム又は合成樹脂からなる保持部材、及び物品を保持した保持部材を物体に取付けるための付設部材から構成され、物品を容易に、随時交換可能な物品取付け用具に関する。
【従来の技術】
【０００２】
従来、アクセサリーとして多種多様の物品が知られている。例えば、携帯電話に取付ける携帯ストラップ、バッグに取付けるアクセサリー、バッグのファスナーに取付けるアクセサリー、ジャンバーのファスナーに取付けるアクセサリー等である。これらのアクセサリーを取付ける方法として、従来、次の方法が広く使用されていた。
【０００３】
▲１▼アクセサリーに穴を設けて紐、ベルト等を通す方法
▲２▼アクセサリーに設けた穴にＯ字型のリングを付設し、そのリングに紐、ベルト等を通す方法
▲３▼牽引する部材を付設した透明なカプセルにアクセサリーを収納する方法
▲４▼金属製又は合成樹脂製の枠にアクセサリーを嵌着し、接着する方法
【０００４】
しかしながら、従来の方法は、アクセサリーを保持している部品とアクセサリー本体とを容易に分離することが不可能であり、アクセサリーを取付けた状態で容易に交換できるものは存在しなかった。
【０００５】
アクセサリーの取付け方法ではないが、本発明に類似する物品として、図１に示すとおりドア等の鍵の手に持つ部分を合成樹脂等で被覆するための部品も存在するが、鍵の使用目的から鍵全体を何らかの方法により被覆することは不可能であり、かつ被覆部品を容易に脱着することができない。即ち、鍵穴に差し込む部分が露出していなければ、鍵として使用できず、被覆部品を容易に脱着できるならば、キーホルダー等に収納した場合、被覆部品が鍵から脱落して望ましくないからである。
【０００６】
また、コインを種類別に保存するために、コインの大きさにより円筒形に柔軟性素材で加工し、コインの種類の数だけ並べて一組にした物品も存在するが、使用する目的がアクセサリーとは異なっている。
【０００７】
【発明が解決しようとする課題】
本発明者は、アクセサリー等の物品所有者の要望が多様化しており、流行等により頻繁に交換することを所望するアクセサリー等の物品所有者の要望に対応するための手法について鋭意研究を行った結果、アクセサリー等の物品とそれを保持する保持部材とを容易に分離可能であることが、その要望に応える最善策であるという結論に達し、本発明を完成した。
【０００８】
本発明の目的は、携帯電話、ギター、各種バッグ、各種ファスナー、商品又は衣服に取付けた物品を、いつでも、どこでも、容易に交換し得る物品取付け用具を提供することである。
【０００９】
【課題を解決するための手段】
前記課題を解決する本発明は、物品を保持するための、柔軟性を有する天然ゴム、合成ゴム又は合成樹脂からなる保持部材、及び物品を保持した保持部材を物体に取付けるための付設部材から構成され、物品を容易に、随時交換可能な物品取付け用具であり、保持部材が、物品の周囲のみを被覆する枠状であること、物品が、ファッション・アクセサリー、ギターの演奏に使用するピック、フォトフレーム・アクセサリー、香料を含浸させた芳香アクセサリー又はコインであること、及び物品取付け用具が、携帯電話、ギター、各種バッグ、各種ファスナー、商品又は衣服に取付けられることを望ましい態様としている。
【００１０】
【発明の実施の形態】
次に本発明の一実施例を示して本発明を詳細に説明するが、以下の説明においては、本発明の理解を容易にするために各図の記号を文中に括弧を付して記載する。
【００１１】
本発明の物品取付け用具は、物品を保持するための保持部材及び物品を保持した保持部材を多種多様な物に取付けるための付設部材からなっている。具体的には次のとおりである。
【００１２】
図２は本発明の物品取付け用具の一実施例を示す外観斜視図であり、物品を保持部材から除去した図でありる。図中円内は外観の部分拡大斜視図であり、（１）は物品、（２）は保持部材、（３）は物品を保持するための溝、（４）保持部材本体を他の物に付設する付設部材である。図２に示すとおり、保持部材の内側に物品を挿着する溝（３）を設け、この溝（３）に物品を嵌合させて保持し、後記するとおり保持部材（２）を付設部材（４）により任意の物に付設する。
【００１３】
本発明の保持部材は、天然ゴム、合成ゴム、合成樹脂等の柔軟性を有し、かつ伸縮自在な素材を原料として、常法により成形して加工される。図２に示す保持部材は、物品の周囲のみを被覆するように枠状であるので、原料が少なくてすむので、安価に製造可能であり、かつ物品の脱着も容易であり、最も望ましい態様である。
【００１４】
図３は図２のＸ−Ｘ線における拡大断面図である。本発明の保持部材は、図３に示すとおり、物品を嵌合させる溝が、物品の厚さに応じて配設されている。保持部材は前記のとおり柔軟性を有し、かつ伸縮自在な素材を使用しているので、容易に物品を着脱することができる。
【００１５】
本発明の物品取付け用具は、物品の形状により任意に加工することが可能である。具体的には薄い板状の円形、正方形、三角形、多角形、ハート形等保持する物品の形状により如何なる形状にも、常法により成形加工し得る。また、厚い板状、球形、円筒形等立体の物品の場合には、溝に嵌合する突起を物品の周囲に配設することにより、本発明の物品取付け用具に挿着することが可能である。更に、本発明の物品取付け用具は、任意の色彩に着色することが可能であり、使用目的により多種多様に着色し得る。
【００１６】
本発明の物品取付け用具の保持部材に嵌合する物品は、目的により多種多様であり、その材質も多種多様である。例えば、片面又は両面を鏡にすることも可能であり、発光塗料を使用することにより発光させることも可能であり、人気タレント、アイドル等の写真、商品の写真、商品名、サービスの内容、企業名等を印刷することも可能であり、広告媒体としても利用し得る。また、銀、ステンレス、セラミック、木材、硬質繊維等により多孔質に製造し、液状の香料を浸透させ、発香させるアクセサリーとしても利用し得る。
【００１７】
図４は本発明の物品取付け用具の他の例を示す外観平面図であり、図中（ａ）（ｂ）は、物品を保持部材から取り外した外観平面図であり、記号（１）は物品、（２）は保持部材、（５）は物品を保持するための部分保持部材である。図３に示すとおり、この例においては物品（１）の一部を保持するための柔軟性を有する部分保持部材（５）を、任意（柔軟性のない素材でも可）の平板（６）の上に付設している。この部分保持部材（５）の内側には物品（１）の一部を保持するための溝を設けている。また物品を所望する物に付設するために、平板の裏面に付設部材として吸着盤を付設している。尚、この吸着盤は、本発明の物品取付け用具における付設部材の一種である。
【００１８】
特に、このタイプの物品取付け用具は、ギターの演奏に使用するピックのホルダーとしても利用できる。即ち、ピックは小さく、紛失し易いので、吸着盤によりギターに取付けて紛失を防止することが可能である。
【００１９】
本発明の物品取付け用具は図２に示すとおり、中空のフレーム状、図４に示すとおり平板に部分保持部材を配設したもの等目的に応じて任意に設計することが可能である。また、物品に鉄等の金属板を配設し、保持部材本体の表面には磁石を配設して物品を保持部材に、より強固に付設することも可能である。
【００２０】
本発明の物品取付け用具における付設部材は、図５に示すとおり各種のものがある。図５は、本発明の保持部材を示す外観斜視図であり、各種付設部材の例を示している。図５の（ａ）は、例えばファスナーの開閉時に指で摘む部分の穴に付設部材を通し、矢印のように折り曲げ、付設部材に配設されたスナップ状の係止具を嵌合させて付設することが可能である。図５の（ｂ）は、保持部材に付設部材を２か所設けた例であり、使用者の好みによりいずれか、又は双方に紐等を通して物品に付設することが可能であり、ファッション・アクセサリー、発香アクセサリー等の場合には保持部材に安全ピンを通して衣服等に付設することも可能である。
【００２１】
また、図６は本発明の物品取付け用具における付設部材の他の例を示す裏面の平面図であり、図３と同様に平板を使用した保持部材の裏面に幅のある紐、ベルト等を通すための付設部材が配設されている。
【００２２】
以上詳細に説明したとおり、本発明の物品取付け用具の用保持部材は、多様な形状、色彩、付設部材を有し、安価に製造することも可能であり、かつ使用者の好みにより多種多様に使用できるので、アクセサリーのみならず、企業、通常の商品の宣伝、付香商品の宣伝、サービス等の広告、人気タレント、ミュージシャン、アイドル等のイベントの宣伝等に広範囲な用途があり、従来にない新規な媒体にもなり得る。
【００２３】
次に実施例を示して本発明を更に詳細に説明するが、本発明は以下の実施例に限定されるものではない。
【００２４】
【実施例】
実施例１
図２に示す携帯電話用ストラップを次のとおり製造した。市販のポリウレタン樹脂（信越化学工業社製）を加熱溶融し、金属製の成形型（中部化学工業社製）に流し込み、固化した後に成形型から取出し、保持部材を常法により製造した。これとは別に柔軟性のない市販のステンレス板（中部化学工業社製。厚さ３ｍｍ。）を、常法により前記保持部材とほぼ同じ大きさに切削し、物品を製造した。物品の表面にアクセサリーとしてパンダの顔を印刷したシールを添着して保持部材に嵌着し、本発明の物品取付け用具を製造した。製造された物品取付け用具は、携帯電話に取付け、アクセサリーを兼ねて使用でき、かつ物品を随時、容易に交換し得る。
【００２５】
実施例２
図５の（ａ）に示すバッグ用アクセサリーを次のとおり製造した。市販の塩化ビニール樹脂（信越化学工業社製）を加熱溶融し、金属製の成形型（中部化学工業社製）に流し込み、固化した後に成形型から取出し、本発明の物品取付け用具を常法により製造した。製造された物品取付け用具は、実施例１において製造した物品、その他前記の各種物品を嵌着可能であり、物品を随時、容易に交換することも可能であり、バッグのファスナーにアクセサリーとして取付けることができる。
【００２６】
【発明の効果】
以上のとおり本発明は、物品を保持するための、柔軟性を有する天然ゴム、合成ゴム又は合成樹脂からなる保持部材、及び物品を保持した保持部材を物体に取付けるための付設部材から構成され、物品を容易に、随時交換可能な物品取付け用具に関するものであり、本発明により奏される効果は次のとおりである。
【００２７】
１）本発明の物品取付け用具は、多種多様な形状、色彩により製造が可能である。
２）本発明の物品取付け用具は、使用者が希望する多種多様な物に付設することが可能である。
３）本発明の物品取付け用具は、いつでも、どこでも容易に物品を交換することが可能である。
４）本発明の物品取付け用具は、安価に製造できるので、ファッション・アクセサリーのみならず、企業、商品、サービス等の広告、タレント、ミュージシャン、アイドル等のイベントの宣伝等の媒体として、また香料を浸透させた物品を嵌着することにより芳香アクセサリーとして、広範に利用可能である。
【図面の簡単な説明】
【図１】図１は、既存の鍵の平面図である。
【図２】図２は、本発明の物品取付け用具の一例を示す外観斜視図である。
【図３】図３は、図２のＸ−Ｘ線における断面の拡大図である。
【図４】図４は、本発明の物品取付け用具の他の例を示す外観斜視図である。
【図５】図５は、本発明の物品取付け用具における付設部材の例を示す外観斜視図である。
【図６】図６は、本発明の物品取付け用具における付設部材の他の例を示す裏面の平面図である。
【符号の説明】
１  物品
２  保持部材
３  溝
４  付設部材
５  部分保持部材
６  平板
【図１】
2004243074.tif 000003
【図２】
2004243074.tif 000004
【図３】
2004243074.tif 000005
【図４】
2004243074.tif 000006
【図５】
2004243074.tif 000007
【図６】
2004243074.tif 000008